(57)【要約】  【課題】  【解決手段】  カニューラ（１２）と、当該カニューラのルーメン（２４）から延在可能で、ルーメンへ引き込み可能な一またはそれ以上の針（１４、３０）を具える電気エネルギィ送出用装置（１０）。各針（３２）の遠位部分が前記ルーメン（２４）から延在可能であり、組織貫通遠位先端（３２）で終端している。各遠位部分（３２）は、導電性で多孔性の材料でできており、これによって、電解液が流れて遠位部分周辺の組織に電気エネルギィを送出する多孔電極を提供する。【選択図】    図１
2007508113.tif 000002
【特許請求の範囲】
【請求項１】
患者内の組織へ電気エネルギィを送出する装置において：
近位端と、患者の身体に装入するサイズの遠位端と、前記遠位端から前記近位端へ延在するルーメンとを具える筒状部材と；
前記ルーメンから少なくとも部分的に延在しており、組織−貫通遠位先端で終わる遠位部分を具える針であって、前記遠位部分が導電性で多孔性材料を具え、これによって、電解液が流れて電気エネルギィを前記遠位部分の周辺組織に送出する電極を提供する針と；
を具えることを特徴とする装置。
【請求項２】
請求項１に記載の装置において、前記遠位部分が焼成したステンレススチールであることを特徴とする装置。
【請求項３】
請求項１に記載の装置において、前記針が、前記針の近位端から遠位部分まで延在する針ルーメンを具えることを特徴とする装置。
【請求項４】
請求項３に記載の装置が更に、前記針の遠位部分に電解液を送出するために前記針ルーメンに連結された電解液源を具えることを特徴とする装置。
【請求項５】
請求項１に記載の装置において、前記針全体が多孔性材料を具えることを特徴とする装置。
【請求項６】
請求項１に記載の装置において、前記筒状部材の中に前記遠位部分を引き込むこと、および前記筒状部材から前記遠位部分を展開することの少なくとも一方のために、前記針が前記筒状部材に対して移動可能であることを特徴とする装置。
【請求項７】
請求項１に記載の装置において、前記筒状部材が絶縁スリーブを具えることを特徴とする装置。
【請求項８】
請求項１に記載の装置が更に、前記筒状部材の遠位端を越して前記ルーメンから延在可能な複数の針であって、各針が組織を貫通する遠位先端を有することを特徴とする装置。
【請求項９】
請求項８に記載の装置において、複数の針の各々が、導電性で多孔性材料を具える遠位部分を具える、これによって、それを通って電解液が流れる多孔性電極アレイを提供し、電極アレイの遠位部分近傍の組織に電気エネルギィを送出するようにしたことを特徴とする装置。
【発明の詳細な説明】
【技術分野】
【０００１】
発明の属する技術分野
本発明は、一般的に、腫瘍などの組織に液体を注入して高周波電気エネルギィを用いて加熱を強化し、組織を切除する装置に関する。
【背景技術】
【０００２】
発明の背景
固相組織に高周波（ＲＦ）電気エネルギィを送出する電気外科的器具は公知である。例えば、公開ＰＣＴ出願ＷＯ96／29946号は、カニューラの遠位端から組織へ延在する複数の独立したワイヤ電極を具える電気外科的プローブを開示している。この電極は、モノポーラまたはバイポーラ態様で電圧がかけられ、ターゲット組織領域を加熱して壊死させる。このようなプローブは、肝臓、腎臓、膵臓、胃、および脾臓などの器官内の腫瘍の処置用に提言されている。
【０００３】
加熱を強化して壊死を起こすために、電気エネルギィを送出する前にターゲット領域に塩水を注入するようにしている。一般的に、これは、電気外科的プローブからターゲット領域へ電極を進める前または後に、シリンジから組織内へ針を進めるステップを含む。この針を介して塩水がシリンジから組織内に送り込まれ、電極に電圧がかかってＦＲエネルギィが送出され、ターゲット領域内の組織を壊死させる。代替的に、一またはそれ以上のワイヤ電極内のルーメンを介して塩水を送りこむことができる。塩水が組織の加熱を高めることによって、結果としてできる病変部のサイズが塩水なしで電極を付勢する場合に比べて大きくなる。
【０００４】
しかしながら、ターゲット領域の組織の不均等性のため、シリンジによって注入する塩水が、所望の態様でターゲット領域に一面に注がれないことがある。例えば、塩水は電極から離れた組織に注がれることがあり、あるいは、ターゲット領域の一部にのみ部分的に注がれることがある。従って、ターゲット領域内の組織が均一に加熱されて、所望する通りに壊死しないことがあり、ターゲット領域を順次確実に壊死させるには、複数の処置が必要になる可能性がある。更に、別のシリンジを用いて塩水を注入する場合は、そのシリンジとプローブを組織内へ別々にアプローチさせる必要があるため、アクセスが複雑になると共に、閉じて癒合させることが必要なトラックが中間組織中に複数形成されることになる。
【０００５】
発明の概要
本発明の一実施例によれば、患者の内部組織に電気エネルギィを送出する装置が提供されており、この装置は、近位端と、患者の身体に装入する大きさの遠位端と、遠位端から近位端へ延在するルーメンを有する筒状部材を具える。一の実施例では、この筒状部材は、先の尖った遠位先端を有する実質的に硬質のカニューラであってもよく、組織を通ってカニューラを前進させる。
【０００６】
一またはそれ以上の針が、筒状部材の遠位端を越えてルーメンから延在可能であり、各針が、組織を貫通する遠位先端を有する。一又はそれ以上の針の少なくとも一つ（好ましくは、全て）が、その遠位先端の出口へ液体を送出する注入ルーメンを具えている。追加的、あるいは代替的に、この針の少なくとも遠位部分が、例えば、焼成ステンレススチールなどの多孔性材料でできていても良い。例えば塩水などの導電性液体の源が、その遠位先端を越えて液体を組織へ送出するそれぞれの針の注入ルーメン及び／又は多孔性材料に連結されている。
【０００７】
本発明の実施例では、針が、遠位先端近傍の組織に電気エネルギィを送出する電極である。例えば、針の遠位部分が電極を規定する導電領域を具えていても良い。好ましくは、針が導電材料でできており、各針の露出部分が電極を形成している。例えば、ＲＦ発生器などの電気エネルギィ源が、一又はそれ以上の針にモノポーラまたはバイポーラ構成で接続されており、患者の中で展開したときに針の周囲の組織に電気エネルギィを送出する。
【０００８】
針は、筒状部材のルーメン内に引っ込んだ形状から、伸張した形状へ移動可能であることが好ましく、針の遠位部分は、筒状部材の遠位端を越えて延在する。一の実施例では、伸張した形状において軸方向および半径方向の互いに異なる距離で延在する複数の針が設けられており、これによって伸張した形状において遠位先端が球形またはその他の三次元形状を規定する。
【０００９】
本発明の別の実施例によれば、患者の内部組織に電気的エネルギィを送出する装置が提供されており、この装置は近位端と、患者の身体に装入できるサイズの遠位端と、この近位端と遠位端の間に延在するルーメンを有する筒状部材を具える。複数の対向する部材が筒状部材の遠位端から延在可能であり、この対向部材は互いに遠ざかる方向に延在可能であり、対向部材の内側面間の組織に係合するように互いの方向に向けてことができる。
【００１０】
対向部材は、当該対向部材の間に係合されている組織に電気エネルギィを送出するための一又はそれ以上の電極を具える。一またはそれ以上の中空状の針が対向部材の少なくとも一方、好ましくはそれぞれの内側面から延在している。各針は、対向部材間に係合する組織を貫通している尖った先端と、この尖った先端内にあり対向部材内のルーメンと連通する出口を具えており、尖った先端が貫通している組織内にルーメンから導電液体を送出するようにしている。電気エネルギィ源は電極に接続されており、対向部材間に係合した組織を切除する電気エネルギィを送出している。
【００１１】
一の実施例では、対向部材が筒状部材のルーメンを通って延在している制御部材から延在している。対向部材を少なくとも部分的にルーメン内に引き込むようにこの制御部材を近位側に方向付けることによって、対向部材を互いの方向に向けることができる。更に、制御部材が針の出口に連通する注入ルーメンを具えていても良い。導電液体源がこの注入ルーメンと連通しており、針の出口に導電液体を送出することができる。
【００１２】
本発明のその他の目的と特徴は、添付の図面を参照して以下の記載を考慮することで明らかになる。
【００１３】
実施例の詳細な説明
図面を参照すると、図１−４は、組織構造（図示せず）中の良性あるいは悪性の腫瘍などの、組織を治療する装置１０の第１実施例を示す。一般的に、装置１０は、カニューラまたはその他の導入器１２と、カニューラ１２から展開可能な電極アレイ１４を具える。更に、装置１０は、針アレイ１４に接続された電気エネルギィ源１６及び／又は導電液体源１８を具えていても良い。
【００１４】
カニューラ１２は、近位および遠位端２０、２２、及び近位端２０に向けて遠位ポート２６から近位側に延在するルーメン２４を具える細長筒状部材であり、これによって縦軸２１を規定している。図では近位端２０は実質的に閉じられているが、ルーメン２４が近位端２０まで延在していてもよい。代替的に、ルーメン２４は、近位端２０の近位ポート（図示せず）まで延在して、例えば、電極アレイ１４、あるいはスタイレット（図示せず）などの器具をルーメンを通して取り外し可能に受けるようにしても良い。カニューラ１２は、また、近位端２０上にハンドル２５を具え、カニューラ１２及び／又は電極アレイ１４の操作を容易にしている。
【００１５】
カニューラ１２は、金属またはプラスチックなどの、実質的に硬質材料でできていても良く、及び／又は、電気的絶縁材料でできていても良い。カニューラ１２の遠位端２２は、斜めに切った先端２８（図示せず、図５Ａおよび５Ｂ参照）などの、尖ったあるいは組織を貫通する先端において終端しており、組織内にカニューラ１２を進めるのを容易にしている。代替的に、カニューラ１２は、半硬質あるいはフレキシブルな材料でできていても良く、スタイレット（図示せず）を近位ポート（図示せず）からルーメン２４へ導入することができる。スタイレットは、カニューラ１２の剛性を強化することができ、及び／又は、尖った遠位先端（図示せず）具えていても良い。これは、カニューラ１２の遠位端２２を越えて延在して、カニューラ１２が組織を通して前進するのを容易にする。
【００１６】
電極アレイ１４は、複数の細長い針３０を具える。各針は、近位端３１と、例えば、斜めに切った先端３２などの組織を貫通する尖った遠位端を具える。この針３０の少なくとも一つ、および選択的に全部の針３０は、遠位先端３２の出口３６へ液体を送出する注入ルーメン３４を具えていても良い。代替的に、針３０は、例えば、遠位先端３２を越えて所定のパターンで液体を送出するために、遠位先端３２に複数の出口（図示せず）を具えていても良い。針３０は、カニューラ１２のルーメン２４を通って近位側へ延在しており、近位端３１を側部ポート４０を具えるハブ３８に連結して、針３０の注入ルーメン３４と連通するようにしても良い。
【００１７】
液体ライン４２は、導電液体源１８の側部ポート４０から延在しており、高張性塩水などの導電液体を針３０の注入ルーメン３４へ送出する。導電液体源１８は、例えばシリンジ（図示せず）などの手動導電液体源を具えていても良く、あるいは、ポンプ（図示せず）を具えて、処置中に塩水を連続的あるいは断続的に送出するようにしても良い。液体ライン４２は、液体ライン４２を介して送出される液体の液圧を所定以下に維持するための安全弁４４を具えていても良い。安全弁４４は、例えば、患者が過剰な液圧を受けないように所定の圧力で開くようにする。
【００１８】
更に、液体ライン４２は、図４に示すようにフロート弁４６を具えており、塩水などの液体のみが確実に針３０に送出されるようにしてもよい。例えば、フロート弁４６は、リザーバ５０を覆う空気などの気体が自在に通過できる疎水性の膜４８を具えていても良い。これによって、リザーバ５０から出る液体には、例えば患者の脈管など、患者の身体内に放出されると傷害を引き起こす空気バブルが実質的に含まれない。
【００１９】
図１及び２を特に参照すると、電極アレイ１４は、例えばカニューラ１２のルーメン２４内に引き込まれたとき（図２参照）のたたまれた形状から、例えばカニューラ１２の遠位端２２を越えて伸長したとき（図１参照）の拡開した形状へ移動可能である。針３０は拡張形状に向けて開くようにバイアスされており、カニューラ１２のルーメン２４内に引き込まれるときに、たたんだ形状に弾力的に圧縮されうることが好ましい。一の実施例では、針３０は、例えばステンレススチールまたはニチノールなどの弾性または超弾性材料でできている。この材料は十分に強く、針３０が組織内を進むときでも拡張した形状に向けてバイアスすることができる。
【００２０】
針３０の遠位部分３３は、電極アレイ１４が、例えば図１に示すような傘または外翻した形状など、一般的な対称形を規定するように拡開することができる。一の実施例では、電極アレイ１４は、一般的に、米国特許第６，０５０，９９２号及び第６，２１２，４３３号に開示されているような面を規定している。代替として、図３に示すように、針３０’、３０”のいくつかが他の針と異なる長さを有する、及び／又は、バイアスのかかる曲率半径が他の針の曲率半径と異なるものであっても良い。図に示すように、完全に展開したときに、針３０’、３０”の遠位部分３３’、３３”が、カニューラ１２の遠位端２２から軸方向に異なる距離で延在する、及び／又は、拡開形状において縦軸２１から半径方向に異なる距離に延在することができる。従って、電極アレイ１４’は、拡開形状に延在したときに一般的な球形あるいはその他の三次元形状を規定することができる。この形状は、以下に述べるとおり、より大きなターゲット組織領域での治療を強化することができる。
【００２１】
針３０の一つ（またはそれ以上）の遠位部分３３は、遠位先端３２近傍の組織に電気エネルギィを送出するための電極を具えている。一の実施例では、各針３０がステンレススチールまたはニチノールなどの導電性材料でできている。従って、カニューラ１２の遠位先端２４を越えて延在する針３０が露出した遠位部分３３全体が電極を規定する。この実施例では、カニューラ１２は、絶縁材料で形成されていても良い。代替的に、針３０が例えばプラスチックなどの絶縁材料でできており、電極を規定する遠位部分３３が一又はそれ以上の導電領域（図示せず）を具えていても良い。この代替例では、針３０は、電極から近位側へ延在するワイヤまたはその他の導電体（図示せず）、例えば、針３０の中に近位端３１まで、を具えていても良い。
【００２２】
針３０は、電気エネルギィ源１６、好ましくは高周波（ＲＦ）発生器へ電気的に連結されており、電気エネルギィを針３０の遠位部分３３に送出する。ＲＦ発生器１６は、カニューラ１２の近位端２０及び／又はハブ３８に例えばケーブル（図示せず）で連結されているが、これは、針３０の近位端３１に連結されていても良い。
【００２３】
ＲＦ発生器１６は、モノポーラまたはバイポーラモードでＲＦエネルギィを送出するように構成されている。モノポーラモードでは、針３０全てが、ＲＦ発生器１６の一のポールに接続されている。受動電極（図示せず）は、ＲＦ発生器１６の反対側のポールに接続するように設けられている。好ましくは、受動電極は、例えば、針３０の遠位部分３３に比べて比較的大きな表面積を有するパッド（図示せず）であり、治療を受ける患者の外側表面に配置される。
【００２４】
代替的に、バイポーラモードでは、いくつかの針３０が一のポールに接続されており、その他の針３０は対向するポールに接続されている。別の代替例では、針３０が全部一のポールに接続されており、対向するポールに接続されたカニューラ１２の遠位端２４に一の電極（図示せず）が設けられている。更なる代替では、針３０が全部一のポールに接続されており、治療を受けている組織構造の表面に接触して配置されている反対側のポールに内部表面電極（図示せず）が接続されている。このような表面電極は、米国特許第６，２１２，４３３号に開示されている。
【００２５】
図５Ａ−５Ｃを参照すると、装置１１０の別の実施例が示されており、これは、カニューラ１１２と、一対のあご状電極、または、カニューラ１１２から延在可能な対向部材１１４を具えている。更に、装置１１０は、上述した実施例と同様に、一対の電極１１４に接続された電気エネルギィ源及び／又は導電液体源（図示せず）を具えている。
【００２６】
カニューラ１１２は、一般的に、近位端１２０と、遠位端１２２と、近位端および遠位端１２０、１２２の間に延在するルーメン１２４を具え、これによって縦軸１２１を規定している。カニューラ１１２は、上述した実施例と同様に、尖った遠位先端１２８を有する実質的に硬質の筒状部材である。代替的に、カニューラ１１２に代えて、カテーテル（図示せず）などのフレキシブルな筒状部材を設けるようにしても良い。この部材は、実質的に、鈍いあるいは円形の遠位先端（図示せず）を具えている。この代替例では、カテーテルの遠位端が、装置をボディルーメンあるいはその他の通路(図示せず)内に容易に実質的に無外傷で進めるためのサイズ及び／又は形状を有する。
【００２７】
電極対１１４は、近位端および遠位端１３１、１３２を具え、一般的に互いに内側を向いている内側面１３４を規定する、第１及び第２の細長部材あるいは「あご」１３０を具える。あご１３０は、その近位端１３１で互いに回動可能に連結されており、遠位端１３２が互いに遠ざかって、および、互いに向かって移動できる。好ましくは、あご１３０は、互いの方向へ弾性的に圧縮可能であり、図５Ａに示すようなたたんだ形状を規定しており、一方、図５Ｃに示すように、拡開形状に向けて互いに遠ざかって移動するようにバイアスされている。あご１３０は、図５Ｃに示すような、アーチ型形状を取るようバイアスされていても良い。代替的に、あご１３０は、実質的にまっすぐな形状（図示せず）にバイアスされて、展開形状で電極対１１４、１３０が例えば「Ｖ」字形状を規定するようにしても良い。
【００２８】
少なくとも一のあご１３０、好ましくは各々のあご１３０が、内側面１３４から、すなわち、対向するあご１３０に向かって、内側面１３４から延在する複数の筒状針１３６を具えている。針１３６は、尖ったあるいは組織を貫通する、例えば、斜めに切ったあるいは尖らせた先端１３８を具える。この先端は、各あご１３０内にルーメン１４２と連通する出口１４０を具える。ルーメン１４２は、各々のあご１３０の最も遠位側の針１３６から近位端部１３１へと近位方向に延在している。選択的に、あごの遠位端１３２は、尖った先端を有する及び／又はルーメン１４２に連通する出口（図示せず）を具えていても良い。代替的に、遠位端１３２は、鈍いあるいは円形であって（図示せず）、以下に説明するように、遠位端１３２が組織を貫通しないようにしても良い。
【００２９】
更に、一方あるいは双方のあご１３０は、あご１３０間に係合した組織に電気エネルギィを送出するために一またはそれ以上の電極を具えている。例えば、あご１３０を、例えばステンレススチールまたはニチノールなどの導電材料で形成して、あご１３０の露出面全体が電極を規定するようにしても良い。代替的に、例えばプラスチックなどの絶縁材料であご１３０を構成して、あご１３０の針１３６及び／又は内側面１３４を導電材料で形成するか、または導電材料で被覆するようにしても良い。この代替例では、例えばワイヤあるいは導電性被覆物（図示せず）などの導電体をあご１３０の上または中に設けて、電気エネルギィを針１３６及び／又は内側面１３４に送出するようにしても良い。あご１３０内の別のルーメン（図示せず）に導電体を設けるようにしても良く、あるいは、あご１３０の表面に絶縁材料を蒸着させて被覆するようにしても良い。
【００３０】
電極対１１４は、例えば筒状部材１４６などの細長部材の遠位端１４４上に設けるようにしてもよく、各あご１３０内のルーメン１４２に連通している注入ルーメン１４８を有する。筒状部材１４６は、十分な柱強度を有し、電極対１１４をカニューラ１１２に対して軸方向に移動、すなわち、押したり引いたりする制御エレメントを提供することが好ましい。例えば、筒状部材１４６は、筒状部材１４６がカニューラ１１２に対して軸方向に摺動可能になるように、カニューラ１１２のルーメン１２４内に延在することができる。
【００３１】
筒状部材１４６の近位端（図示せず）は、カニューラ１１２の近位端（図示せず）上のアクチュエータ及び／又はハンドルに連結することができる。従って、アクチュエータ又はハンドルを移動させて、ルーメン１２４内で筒状部材１４６を軸方向に向けることができる。好ましくは、筒状部材１４６を軸方向に移動させて、ルーメン１２４内から電極対１１４を展開させ、及び／又は、ルーメン１２４内に電極対１１４を引っ込めることができる。例えば、筒状部材１４６が、近位方向に引っ張られて、図５Ａに示すようにカニューラのルーメン１２４内に引き込まれると、あご１３０は互いの方向に弾性的に圧縮される。筒状部材１４６が遠位側に押されると、図５Ｂおよび５Ｃに示すように、あご１３０は自動的に拡開形状の方向に戻る。
【００３２】
あご１３０は、上述した実施例と同様に、弾性材料あるいは超弾性材料で形成して、あご１３０の展開及び／又は弾性圧縮を容易にすることができる。代替的に、あご１３０は、機械的に操縦できるものであって、あご１３０を展開形状方向へ向けて互いから離して選択的に方向付けることができるものであってもよい。電極対１１４は、単一ピースでできていても良く、あるいは、例えば互いに取り付けることができる別々のあご１３０などの複数ピースでできていても良い。電極対１１４は、筒状部材１４６の遠位端１４４に連結することができ、例えば、筒状部材１４６と電極対１１４を互いにほぼ永久的に取り付けるようにしても良い。代替的に電極対１１４と筒状部材１４６が単一部分として形成されていても良い。
【００３３】
上述した実施例と同様に、塩水源あるいはその他の導電液体源(図示せず)は、筒状部材１４６の近位端に接続されており、塩水が注入ルーメン１４８を介してあご１３０のルーメン１４２へ、および針１３６内の出口１４０を通って送出されるようにする。更に、例えば、例えば、カニューラ１１２及び／又は筒状部材１４６の近位端（図示せず）に接続したケーブルによって、ＲＦ発生器（図示せず）などの電気エネルギィ源を電極対１１４に接続するようにしても良い。
【００３４】
本発明の実施例では、針は、一般的に、例えば焼成したステンレススチールなどの導電性かつ多孔性材料でできた細長ロッドあるいはチューブであり、これによって、電解液が流れる電極を提供している針周辺の組織に電気エネルギィを送出するようにしている。針は、硬質あるいはフレキシブルであっても良く、及び／又はストレートであっても、曲がった形状にバイアスされていても良い。単一の針から、図１ないし４に示した上述の形状などの拡開した三次元形状に展開可能な針アレイまでの範囲の針を使用することができる。
【００３５】
選択された実施例では、針は、押し出し成型あるいは注入焼成したロッドとして形成することができる。斜めに切ったあるいは尖らせた遠位先端が削りだされてあるいは形成されている。このように、針全体は多孔性で、針の近位端に導入された液体がこの孔を通って流れ、針の露出した遠位部分から出てゆくようにしても良い。追加で、あるいは代替的に、針は、液体を遠位先端の出口に送出する注入ルーメンを有する同時押し出し焼成チューブであっても良い。従って、ルーメンを通過する液体のいくらかが針の孔を通って噴出して針から出てゆき、一方で残った液体が出口から出てゆく。さらなる代替では、ルーメンが近位端から針の中へ部分的に延びているが、遠位先端へまで完全に延びていないものであってもよい。
【００３６】
焼成／多孔性材料を用いて針を形成することの利点は、所定の画像撮影療法を行う場合に、針の遠位部分の可視性が強化されることである。例えば、超音波撮像を用いる場合、焼成／多孔性材料によって針のエコー発生性が実質的に高くなる。従って、遠位部分をモニタして、所望の長さの針を、導入器スリーブからターゲット組織構造へ確実に前進させられるようになる。多数の針が設けられている場合は、各針を焼成／多孔性材料で形成して、これによって、組織構造内でのアレイの展開を容易にモニタすることができる。
【００３７】
針が展開すると、塩水あるいはその他の導電性液体が液体源から針を介して組織構造へ注入される。塩水は、ここで述べたとおり、処置中にひと塊で、あるいは断続的に、または継続的に注入される。焼成した材料の多孔性によって、一又はそれ以上の分散した出口を有するのみのルーメンを具える針に比べて、塩水を周辺組織により均一に灌水することができる。十分なＲＦエネルギィが送出されると、針は少なくとも部分的に導入器スリーブ内に引き込まれ、スリーブが患者から除去され、及び／又は、別の位置に移動して、更なる組織を切除する。
【図面の簡単な説明】
【００３８】
図面は、本発明の実施例の構成と有用性を示すものであり、同様の要素は共通の符号が引用されている。
【図１】図１は、電気エネルギィを用いて組織を切除する装置の第１の実施例の側面図であり、カニューラと、このカニューラから展開可能な電極アレイを具えている。
【図２】図２は、図１に示すカニューラの遠位端の詳細であり、カニューラ内でたたまれた形状にある電極アレイを示す。
【図３】図３は、図１に示すカニューラの遠位端の詳細であり、カニューラから展開した代替の電極アレイを示す。
【図４】図４は、図１に示す装置と共に用いるフロート弁の断面図である。
【図５Ａ】図５Ａは、電気エネルギィを用いて組織を切除する装置の第２の実施例の側面図であり、カニューラと、このカニューラから展開可能な対向する一対のあご状電極を有する。
【図５Ｂ】図５Ｂは、電気エネルギィを用いて組織を切除する装置の第２の実施例の側面図であり、カニューラと、このカニューラから展開可能な対向する一対のあご状電極を有する。
【図５Ｃ】図５Ｃは、電気エネルギィを用いて組織を切除する装置の第２の実施例の側面図であり、カニューラと、このカニューラから展開可能な対向する一対のあご状電極を有する。
【図１】
2007508113.tif 000003
【図２】
2007508113.tif 000004
【図３】
2007508113.tif 000005
【図４】
2007508113.tif 000006
【図５Ａ】
2007508113.tif 000007
【図５Ｂ】
2007508113.tif 000008
【図５Ｃ】
2007508113.tif 000009
【国際調査報告】
2007508113.tif 000010
2007508113.tif 000011
2007508113.tif 000012
2007508113.tif 000013